(57)【要約】【課題】  著作権を保護しつつ記録媒体のデータを移動できるようにする。【解決手段】  記録再生装置２と接続されたデータ処理装置３は、記録再生装置２に対して記録媒体４に記録されているデータの送出を要求する。記録再生装置２は記録媒体４に記録されたデータを読み出してデータ処理装置３に送出する。データ処理装置３は記録再生装置２から送出された記録媒体４のデータを記憶部１０で保存し、記録媒体４に残っているデータの消去を記録再生装置２に要求する。記録再生装置２は記録媒体４に記録されたデータを消去する。【選択図】        図１
2005141837.tif 000002
【特許請求の範囲】
【請求項１】
データの書き換えが可能な記録媒体が着脱自在に装着される記録再生装置と、
前記記録再生装置と接続されるデータ処理装置とを備え、
前記記録再生装置は、
前記記録媒体に記録されたデータの読み出し、前記記録媒体へのデータの書き込みおよび前記記録媒体のデータの消去を行う記録再生処理部と、
前記データ処理装置との間で前記記録媒体に記録されるデータの送受を行う記録再生制御部とを備え、
前記データ処理装置は、
前記記録再生装置に対して前記記録媒体に記録しているデータの送出および送出したデータの前記記録媒体からの消去を要求する管理制御部と、
前記記録再生装置から送出された前記記録媒体のデータを保存する記憶部とを備えた
ことを特徴とする記録媒体処理装置。
【請求項２】
前記記録再生制御部は、前記記録媒体の記録形式を変換する
ことを特徴とする請求項１記載の記録媒体処理装置。
【請求項３】
前記管理制御部は、前記記憶部に保存したデータの形式を変換する
ことを特徴とする請求項１記載の記録媒体処理装置。
【請求項４】
前記管理制御部は、前記記憶部に保存したデータを前記記録再生装置に送出して記録媒体への記録を要求する
ことを特徴とする請求項１記載の記録媒体処理装置。
【請求項５】
前記記録再生制御部は、前記データ処理装置に送出する前記記録媒体のデータを暗号化する
ことを特徴とする請求項１記載の記録媒体処理装置。
【請求項６】
前記管理制御部は、前記記録再生装置に送出するデータを暗号化する
ことを特徴とする請求項１記載の記録媒体処理装置。
【請求項７】
前記管理制御部は、前記記録媒体に記録されている全てのデータの送出を前記記録再生装置に要求する
ことを特徴とする請求項１記載の記録媒体処理装置。
【請求項８】
前記管理制御部は、前記記録媒体に記録されているデータの中で選択されたデータの送出を前記記録再生装置に要求する
ことを特徴とする請求項１記載の記録媒体処理装置。
【発明の詳細な説明】
【技術分野】
【０００１】
本発明は、書き換え可能な記録媒体が着脱自在に装着される記録再生装置とデータ処理装置を接続した記録媒体処理装置に関する。詳しくは、記録媒体のデータをデータ処理装置に移動する際に記録媒体のデータは消去することで、著作権を保護しつつデータの移動を可能としたものである。
【背景技術】
【０００２】
書き換え可能な記録媒体の記録形式を変換する場合、記録されているデータは消去される。このため、データが記録されている記録媒体の記録形式を変換する場合で、データを残したい場合は、記録媒体のデータを外部記憶装置等に退避させ、記録媒体の記録形式を変換した後、外部記憶装置から記録媒体にデータを戻す方式が考えられている（例えば、特許文献１参照。）。
【０００３】
【特許文献１】特開２００３−３００１５号公報
【発明の開示】
【発明が解決しようとする課題】
【０００４】
記録媒体から外部記憶装置へのデータの退避を手作業で行う場合、移動を忘れたデータが消去される操作ミスが発生するという問題がある。
【０００５】
また、記録媒体からデータを外部記憶装置に退避しようとしたとき、データによっては著作権保護のためディジタルデータのままでは退避できない状況が発生する。このような場合、アナログデータに変換すれば外部記憶装置に退避することができるが、記録媒体に記録されていた元のデータとは異なったものとなってしまう。
【０００６】
本発明は、このような課題を解決するためになされたもので、著作権を保護しつつ、簡単な操作で記録媒体のデータを移動できるようにした記録媒体処理装置を提供することを目的とする。
【課題を解決するための手段】
【０００７】
上述した課題を解決するため、本発明に係る記録媒体処理装置は、データの書き換えが可能な記録媒体が着脱自在に装着される記録再生装置と、記録再生装置と接続されるデータ処理装置とを備え、記録再生装置は、記録媒体に記録されたデータの読み出し、記録媒体へのデータの書き込みおよび記録媒体のデータの消去を行う記録再生処理部と、データ処理装置との間で記録媒体に記録されるデータの送受を行う記録再生制御部とを備え、データ処理装置は、記録再生装置に対して記録媒体に記録しているデータの送出および送出したデータの記録媒体からの消去を要求する管理制御部と、記録再生装置から送出された記録媒体のデータを保存する記憶部とを備えたものである。
【０００８】
本発明に係る記録媒体処理装置によれば、記録再生装置と接続されたデータ処理装置は、記録再生装置に対して記録媒体に記録されているデータの送出を要求する。記録再生装置は記録媒体に記録されたデータを読み出してデータ処理装置に送出する。
【０００９】
データ処理装置は記録再生装置から送出された記録媒体のデータを記憶部で保存し、記録媒体に残っているデータの消去を記録再生装置に要求する。記録再生装置は記録媒体に記録されたデータを消去する。
【発明の効果】
【００１０】
本発明では、記録媒体に記録したデータの著作権保護と品質を維持しつつ、記録媒体からデータ処理装置へデータを移動することができる。これにより、記録媒体の記録形式を変換する場合等、簡単な操作でデータを退避させて処理を行うことが可能となり、データを消去してしまう等の操作ミスを防ぐことができる。また、データ処理装置へ移動したデータは記録媒体から消去することで、データ処理装置でデータの符号圧縮形式の変換等、データを変換することも可能である。
【発明を実施するための最良の形態】
【００１１】
以下、図面を参照して本発明の記録媒体処理装置の実施の形態について説明する。図１は本実施の形態の記録媒体処理装置の構成例を示すブロック図である。本実施の形態の記録媒体処理装置１は、記録再生装置２とデータ処理装置３を接続して構成される。
【００１２】
記録再生装置２はデータの書き換えが可能な記録媒体４が着脱自在に装着される例えばオーディオ機器で、記録再生処理部５と記録再生制御部６を備える。記録再生処理部５は、記録媒体４からのデータの読み出しおよび信号処理を行う。また、記録媒体４へ書き込むデータの信号処理およびデータの書き込みを行う。さらに、記録媒体４に記録されているデータの再生を不可能にする処理を行う。
【００１３】
記録再生制御部６は、データ処理装置３からの指示を受けて記録再生処理部５により記録媒体４から読み出したデータをデータ処理装置３へ送出する。また、記録媒体４に記録されているデータを記録再生処理部５により消去する。さらに、データ処理装置３から送出されたデータを記録再生処理部５により記録媒体４へ書き込む。
【００１４】
記録再生装置２は操作部７と通信インターフェース（Ｉ／Ｆ）８を備える。操作部７はユーザとの間のインターフェースで、ユーザの操作を受け付ける。通信インターフェース８は外部機器、本例ではデータ処理装置３との間のインターフェースで、例えばＵＳＢ（Universal Serial Bus）インターフェースを備える。
【００１５】
データ処理装置３は例えばパーソナルコンピュータ（ＰＣ）で、管理制御部９と記憶部１０を備える。管理制御部９は、記録再生装置２に対して記録媒体４に記録されているデータの送出および送出したデータの記録媒体４からの消去を要求する。記憶部１０は記録再生装置２から送出された記録媒体４のデータを保存する。また、管理制御部９は、記憶部１０に記憶したデータを記録再生装置２に送出し、記録媒体４へ記録する要求を行う。
【００１６】
データ処理装置３は操作部１１と通信インターフェース１２を備える。操作部１１はユーザとの間のインターフェースで、ユーザの操作を受け付ける。通信インターフェース１２は外部機器、本例では記録再生装置２との間のインターフェースで、例えばＵＳＢインターフェースを備える。これにより、記録再生装置２とデータ処理装置３は例えばＵＳＢインターフェースを介してケーブルで接続され、データの送受等が行われる。
【００１７】
図２は記録再生装置２の構成例を示すブロック図で、次に、記録再生装置２の詳細について説明する。ここで、図２に示す記録再生装置２は、記録媒体４として光ディスクの一種であるミニディスク（ＭＤ）を使用して、音楽データの再生および記録を行うオーディオ機器を例にしている。
【００１８】
記録再生装置２は、図１に示す記録再生処理部５として、光学ピックアップ１５、磁気ヘッド１６および信号処理部を備える。光学ピックアップ１５は例えば周知の構成を有するもので、レーザダイオードとフォトディテクタとレンズやプリズム等の光学部品を備え、レーザダイオードでミニディスク４にビームを照射し、反射光をフォトディテクタで受光する。また、ミニディスク４にビームを合焦点させるフォーカス機構や、ミニディスク４のトラックにビームを追従させるトラッキング機構等を備える。
【００１９】
ミニディスク４から読み出した信号およびミニディスク４に書き込む信号は、図１に示した記録再生処理部５を構成する以下の信号処理部で処理される。すなわち、ＲＦ信号処理部１７は光学ピックアップ１５の出力からデータ信号、トラッキングエラー信号、フォーカスエラー信号およびアドレス信号等を得る。アドレス復号処理部１８はＲＦ信号処理部１７で得たアドレス信号をデコードする。
【００２０】
サーボ処理部１９はＲＦ信号処理部１７で得たフォーカスエラー信号等のサーボ信号を使用して光学ピックアップ１５のトラッキング制御およびフォーカス制御を行う。また、サーボ処理部１９はミニディスク４を回転させるスピンドルモータや光学ピックアップ１５を移動させるスレッドモータ等を備えた駆動部２０によりミニディスク４の回転制御や光学ピックアップ１５の送り制御を行う。
【００２１】
変調／復号処理部２１は、ミニディスク４に記録されているデータの再生時には、データ信号のＥＦＭによるデコードおよびＡＣＩＲＣによるデコード等を行う。また、ミニディスク４へのデータの記録時には、データ信号のＡＣＩＲＣによるエンコードおよびＥＦＭによるエンコード等を行う。データの記録時には、変調／復号処理部２１でエンコードされたデータ信号は書き込み処理部２２へ入力され、磁気ヘッド１６を駆動してミニディスク４への書き込みが行われる。
【００２２】
なお、ＥＦＭ（Eight to Fourteen Modulation）はミニディスクで用いられるデータ信号の変調方式、ＡＣＩＲＣ（Advanced Cross Interleave Read Solomon Code）はミニディスクで用いられるデータ信号の誤り訂正方式である。
【００２３】
メモリコントローラ２３は、ミニディスク４へのデータの記録および再生時に、データ信号のメモリ２４への書き込みおよび読み出しを行う。メモリ２４は例えばＤＲＡＭ（Dynamic Random Access Memory）であり、ミニディスク４へのデータの記録および再生時に、データ信号を一時的に記憶していわゆる音飛びを防止するために用いられる。
【００２４】
圧縮／伸長処理部２５は、ミニディスク４に記録されているデータの再生時には、データ信号のＡＴＲＡＣ等によるデコードを行う。また、ミニディスク４へのデータの記録時には、データ信号のＡＴＲＡＣ等によるエンコードを行う。なお、ＡＴＲＡＣ（Adaptive Transform Acoustic Coding）はミニディスクで用いられるデータ信号の圧縮方式である。
【００２５】
ＡＤ／ＤＡ変換処理部２６は、ミニディスク４に記録されているデータの再生時にはディジタル信号をアナログ信号に変換して外部へ出力する。また、ミニディスク４へのデータの記録時には外部より入力されたアナログ信号をディジタル信号に変換する。
【００２６】
暗号／復号処理部２７は、ミニディスク４に記録されているデータをディジタル信号のまま外部へと送出する時に、データ信号の暗号化を行う。また、外部から入力された暗号化されたデータ信号の復号を行う。
【００２７】
記録再生装置２は、図１に示す記録再生制御部６として、システムコントローラ２８を備える。システムコントローラ２８は、記録再生装置２の制御を行うマイクロコンピュータで、ＣＰＵ（Central Processing Unit）やメモリ等から構成され、サーボ処理部１９、変調／復号処理部２１、メモリコントローラ２３および暗号／復号処理部２７と接続される。
【００２８】
図１でも示した操作部７はディスプレイやボタン等から構成され、システムコントローラ２８は、図示しないメモリに記憶されたプログラムに従い、操作部７に操作に必要な画面を表示したり、ユーザの操作を受ける。そして、システムコントローラ２８は、操作部７が操作されたことによる信号入力に応じて各処理部を制御して、ミニディスク４に記録されているデータの再生やミニディスク４へのデータの記録を行う。
【００２９】
また、システムコントローラ２８は、データ処理装置３からの指示により、ミニディスク４に記録されているデータのデータ処理装置３への送出、ミニディスク４に記録されているデータの消去、データ処理装置３から送出されたデータのミニディスク４への記録等を行う。
【００３０】
すなわち、システムコントローラ２８は、ミニディスク４から読み出したデータ信号を変調／復号処理部２１で復号し、暗号／復号処理部２７で暗号化して通信インターフェース８によりデータ処理装置３に送出する。
【００３１】
また、システムコントローラ２８は、ミニディスク４のＵＴＯＣ（User Table Of Contents）に記録されているスタートアドレス等の管理情報を書き換えることで、ミニディスク４に記録されているデータを再生不可能に消去する。
【００３２】
さらに、システムコントローラ２８は、データ処理装置３から送出されたデータを暗号／復号処理部２７で復号し、変調／復号処理部２１で変調してミニディスク４に書き込むことで、ミニディスク４にデータを記録する。
【００３３】
さらに、システムコントローラ２８は、ミニディスク４の記録形式（フォーマット）を変換する機能を備えても良い。
【００３４】
図３はデータ処理装置３の構成例を示すブロック図で、次に、データ処理装置３の詳細について説明する。データ処理装置３は、図１に示す管理制御部９としてシステムコントローラ３０を備える。システムコントローラ３０は、データ処理装置３の制御を行うマイクロコンピュータで、ＣＰＵやメモリ等から構成される。
【００３５】
また、データ処理装置３は、図１に示す記憶部１０としてハードディスクドライブ（ＨＤＤ）３１を備える。ＨＤＤ３１は記録再生装置２から送出されたミニディスク４のデータや、システムコントローラ３０が制御を行うため実行するプログラム等が保存される。
【００３６】
図１でも説明した操作部１１はディスプレイ、キーボードやマウス等から構成され、システムコントローラ３０は、ＨＤＤ３１に記憶されたプログラムに従い、操作部１１に操作に必要な画面を表示したり、ユーザの操作を受ける。そして、システムコントローラ３０は、操作部１１が操作されたことによる信号入力に応じて記録再生装置２に指示を出す。
【００３７】
すなわち、システムコントローラ３０は、記録再生装置２に対してミニディスク４に記録されているデータのリストの取得要求を送出し、記録再生装置２から取得したデータのリストを操作部１１に表示する。操作部１１に表示したリストの中から残したいデータをユーザに選択させ、選択されたデータの送出および送出したデータのミニディスク４からの消去を記録再生装置２に要求する。そして、記録再生装置２から取得したデータをＨＤＤ３１に記憶する。
【００３８】
また、システムコントローラ３０は、ＨＤＤ３１に記憶したデータを記録再生装置２に送出してミニディスク４に戻す機能も有する。そして、ＨＤＤ３１に記憶したデータの例えば圧縮方式を変換する機能を備えてもよい。たとえば、ＡＴＲＡＣで圧縮されたデータ信号を伸長し、ＡＴＲＡＣ３で圧縮して保存する機能等が考えられる。
【００３９】
システムコントローラ３０には暗号／復号処理部３２が接続される。システムコントローラ３０は、記録再生装置２から暗号化されて送出されたミニディスク４のデータを暗号／復号処理部３２で復号する。また、ＨＤＤ３１に保存したデータをミニディスク４に戻すため記録再生装置２に送出する際に、データ信号を暗号／復号処理部３２で暗号化する。
【００４０】
図４は記録媒体処理装置の動作例を示すフローチャート、図５はデータの流れの一例を示す説明図で、以下に記録媒体処理装置の動作について説明する。以下の処理は、ミニディスク４に記録されているデータをデータ処理装置３に移動し、ミニディスク４をフォーマットした後、データ処理装置３に移動したデータを再びミニディスク４に戻すまでの動作を例に説明する。
【００４１】
まず、記録再生装置２とデータ処理装置３がＵＳＢインターフェースによりケーブルで接続され、記録再生装置２にデータが記録されているミニディスク４がセットされる（図５ａ）。データ処理装置３の操作部１１のディスプレイに表示した操作画面で「ＭＤフォーマット変換」の指示がユーザにより行われると、データ処理装置３はミニディスク４に記録されているデータの内容が判る情報、例えば曲名のリストを取得する（ステップＳＡ１）。ステップＳＡ１の処理を図２および図３を参照して詳細すると、まず、データ処理装置３のシステムコントローラ３０は、ミニディスク４に記録されているデータの曲名の取得要求を記録再生装置２に送出する。
【００４２】
記録再生装置２のシステムコントローラ２８は、データ処理装置３からの取得要求を受けて、ミニディスク４のＵＴＯＣから曲名を特定する情報等を取得し、データ処理装置３に送出する。
【００４３】
データ処理装置３では、ミニディスク４から取得した曲名リストから、残すデータをユーザに選択させる（ステップＳＡ２）。ステップＳＡ２の処理を詳細すると、まず、データ処理装置３のシステムコントローラ３０は、記録再生装置２から受けたミニディスク４に記録されているデータの曲名リストを操作部１１に表示する。そして、残しておきたいデータ（曲）をユーザに選択させる。なお、この選択操作では、任意のデータが選択できるとともに、ミニディスク４に記録されている全てのデータが選択できるようにする。
【００４４】
ユーザがデータ処理装置３の操作部１１を操作して残したいデータ（曲名）を選択すると（ステップＳＡ３）、ミニディスク４に記録されているデータをデータ処理装置３に移動する（ステップＳＡ４）。ステップＳＡ４の処理を詳細すると、まず、システムコントローラ３０は、ユーザにより選択されたデータの送出を記録再生装置２に要求する。
【００４５】
記録再生装置２のシステムコントローラ２８は、データ処理装置３から要求されたデータをミニディスク４から読み出す。システムコントローラ２８は、ミニディスク４から読み出したデータ信号を変調／復号処理部２１で復号し、暗号／復号処理部２７で暗号化して通信インターフェース８によりデータ処理装置３に送出する（図５ｂ）。なお、データ信号の暗号化は、ミニディスク４に記録されたデータの配信形態等によって必要な場合と不必要な場合が考えられるが、記録再生装置２とデータ処理装置３の間でデータ信号が暗号化されて送受されれば、不正コピーの防止を図ることが可能となる。
【００４６】
データ処理装置３のシステムコントローラ３０は、記録再生装置２から暗号化されて送出されたミニディスク４のデータを暗号／復号処理部３２で復号し、ＨＤＤ３１に保存する。なお、ＨＤＤ３１には暗号化されたままのデータを保存してもよいし、記録再生装置２で暗号化されたデータを復号し、再度暗号化して保存してもよい。
【００４７】
次に、ミニディスク４のデータを消去する（ステップＳＡ５）。ステップＳＡ５の処理を詳細すると、まず、システムコントローラ３０は、記録再生装置２から取得したデータを正常にＨＤＤ３１に保存できると、ミニディスク４のデータの消去を記録再生装置２に要求する。
【００４８】
記録再生装置２のシステムコントローラ２８は、ミニディスク４のＵＴＯＣに記録されているスタートアドレス等の管理情報を書き換えることで、ミニディスク４に記録されているデータを再生不可能に消去する（図５ｃ）。
【００４９】
以上の処理で、ミニディスク４に記録していたデータのデータ処理装置３への移動が完了する。データ処理装置３へ送出したデータをミニディスク４から消去すること、および暗号化してデータを送受することにより、著作権保護を確保しつつ、ディジタルデータのままデータをデータ処理装置３へ移動でき、ミニディスク４に記録していたデータの品質を維持したまま、データ処理装置３でデータを保存できる。
【００５０】
データ処理装置３へのデータ移動の完了したミニディスク４の記録形式（フォーマット）の変換を行う（ステップＳＡ６）。例えば、記録再生装置２がミニディスク４のフォーマットを変換する機能を有する場合、データ処理装置３へのデータ移動の完了したミニディスク４のフォーマットを記録再生装置２で変換する。ミニディスク４のフォーマットの変換で、例えば、記録容量の増加、書き込み速度高速化、書き込み可能なデータ形式の拡大等が可能になると考えられる。
【００５１】
次に、データ処理装置３に移動したデータをミニディスク４に戻す処理について説明する。まず、データ処理装置３では、ＨＤＤ３１に保存したデータに対して、曲順の入れ替え等の各種編集処理や、データ処理装置３に所定のデコーダ／エンコーダ等を備えることで、符号圧縮形式の変換処理等を行うことが可能である。これにより、ミニディスク４にデータを戻す前にＨＤＤ３１に保存しているデータの変更を行う場合は（ステップＳＡ７）、ユーザの操作に応じて編集または符号圧縮形式の変換処理等を行う（ステップＳＡ８、図５ｄ）。
【００５２】
次に、データ処理装置３からミニディスク４へデータを移動する（ステップＳＡ９）。ステップＳＡ９の処理を詳細すると、まず、データ処理装置３のシステムコントローラ３０は、ＨＤＤ３１に保存したデータを読み出し、暗号／復号処理部３２で暗号化して、通信インターフェース１２により記録再生装置２に送出する（図５ｅ）。
【００５３】
記録再生装置２のシステムコントローラ２８は、データ処理装置３から暗号化されて送出されたデータを暗号／復号処理部２７で復号し、変調／復号処理部２１で変調してミニディスク４に書き込むことで、ミニディスク４にデータを記録する。
【００５４】
次に、データ処理装置３のデータを消去する（ステップＳＡ１０）。ステップＳＡ１０の処理を詳細すると、まず、記録再生装置２のシステムコントローラ２８は、データ処理装置３から取得したデータを正常にミニディスク４に記録できると、ＨＤＤ３１のデータの消去をデータ処理装置３に要求する。
【００５５】
データ処理装置３のシステムコントローラ３０は、ＨＤＤ３１に保存されているデータを再生不可能に消去する（図５ｆ）。以上の処理で、ミニディスク４へのデータの移動が完了する。なお、データの配信形態等によっては、ＨＤＤ３１のデータを消去する処理は不要な場合も考えられる。
【００５６】
さて、上述したステップＳＡ２およびステップＳＡ３の処理で、ユーザがミニディスク４のデータを残さないと選択した場合は、ミニディスク４のフォーマットの変換を行う（ステップＳＡ１１）。ミニディスク４はフォーマット変換を行うことで、データが記録されていない空のディスクとなるので、新たなデータを記録することが可能となる。
【００５７】
以上説明したように、既にデータが記録されているミニディスク４のフォーマットを変換する際に、ユーザが選択したデータをミニディスク４からデータ処理装置３に移動させた後、ミニディスク４のフォーマット変換を行うことができるので、操作ミス等でデータを消去してしまうことを防止できる。
【００５８】
また、ミニディスク４からデータを移動させる際に、ミニディスク４に記録されているデータは再生不可能とするので、不正なコピーが防止される。これにより、コピー回数が制限されているデータであっても、ディジタルデータのまま移動させて、フォーマット変換した後のミニディスク４に戻すことができ、ミニディスクおよび既存のデータの有効活用が可能となる。
【００５９】
例えば、複数枚のミニディスク４に記録していたデータを、ミニディスク４のフォーマット変換や、データ処理装置３でのデータの符号圧縮形式の変換により、１枚のミニディスク４に編集し直すといった処理も可能となる。
【００６０】
また、データ処理装置３へデータを移動する際にミニディスク４のデータは消去するので、データ処理装置３でデータの符号圧縮形式を変換して、他の記録媒体に記録することも可能である。すなわち、ミニディスク４のデータを消去することで、データ処理装置３のデータを他の記録媒体に記録しても不正コピーとはならず、著作権が保護される。
【００６１】
以上の説明では、記録媒体としてミニディスクを使用する記録再生装置２が組み込まれた記録媒体処理装置を例に説明したが、記録媒体としては、書き換え可能なメディアであれば、ＣＤ−ＲＷ（Compact Disc-Rewritable）、ＤＶＤ−ＲＷ（Digital Versatile Disc-Rewritable）、ＤＶＤ−ＲＡＭ、他の記録媒体でもよい。記録媒体の種類に応じてデータ信号の変調方式や圧縮方式が異なるため、記録再生装置２のブロックは異なるが、データ処理装置３からの指示で記録媒体に記録しているデータの送出および記録媒体のデータの消去が行えればよい。
【００６２】
また、データ処理装置３ではＨＤＤにデータを保存することとしたが、大容量の半導体メモリ等でもよい。さらに、ＨＤＤ等の大容量の記憶装置を備えたパーソナルコンピュータに、記録再生装置が組み込まれている形態でもよい。
【産業上の利用可能性】
【００６３】
本発明は、書き換え可能な既存の記録媒体に対して記録形式の変換等が行える場合に、記録媒体のデータを残しつつ処理が行える。
【図面の簡単な説明】
【００６４】
【図１】本実施の形態の記録媒体処理装置の構成例を示すブロック図である。
【図２】本実施の形態の記録再生装置の構成例を示すブロック図である。
【図３】本実施の形態のデータ処理装置の構成例を示すブロック図である。
【図４】記録媒体処理装置の動作例を示すフローチャートである。
【図５】データの流れの一例を示す説明図である。
【符号の説明】
【００６５】
１・・・記録媒体処理装置、２・・・記録再生装置、３・・・データ処理装置、４・・・記録媒体（ミニディスク）、５・・・記録再生処理部、６・・・記録再生制御部、７・・・操作部、８・・・通信インターフェース、９・・・管理制御部、１０・・・記憶部、１１・・・操作部、１２・・・通信インターフェース、１５・・・光学ピックアップ、１６・・・磁気ヘッド、１７・・・ＲＦ信号処理部、１８・・・アドレス復号処理部、１９・・・サーボ処理部、２０・・・駆動部、２１・・・変調／復号処理部、２２・・・書き込み処理部、２３・・・メモリコントローラ、２４・・・メモリ、２５・・・圧縮／伸長処理部、２６・・・ＡＤ／ＤＡ変換処理部、２７・・・暗号／復号処理部、２８・・・システムコントローラ、３０・・・システムコントローラ、３１・・・ハードディスクドライブ、３２・・・暗号／復号処理部
【図１】
2005141837.tif 000003
【図２】
2005141837.tif 000004
【図３】
2005141837.tif 000005
【図４】
2005141837.tif 000006
【図５】
2005141837.tif 000007